(57)【要約】【課題】山間部や狭隘地であっても組立・施工が容易であり、組立後の見栄えにも優れた組立鋼管支柱を提供する。【解決手段】複数の短尺鋼管１４同士を継ぎ合わせて形成された組立鋼管支柱１０であって、短尺鋼管１４が、管状の鋼管本体２０の先端側に設けられた継目テーパー部２２と、継目テーパー部２２の先端に設けられ、他の短尺鋼管１４の後端部の内径と略同一の外径を有する管状の鋼管嵌入部２４と、鋼管嵌入部２４の先端に設けられた先端テーパー部２６とを具備すると共に、鋼管嵌入部２４には、ボルト挿通孔２８ａとその内面側に取り付けられたナット２８ｂとからなるボルト固定部２８が設けられており、短尺鋼管１４の後端部には、嵌め込まれた鋼管嵌入部２４のボルト挿通孔２８ａに対応する位置に、その下端位置がボルト挿通孔２８ａの下端位置に一致し且つ上方へと延びてボルト３６が係合するボルト挿通長孔３２が設けられている事を特徴とする。【選択図】図６
2011111769.tif 000002
【特許請求の範囲】
【請求項１】
複数の短尺鋼管同士を継ぎ合わせることによって形成された組立鋼管支柱であって、
前記短尺鋼管のうち少なくともその先端側に他の短尺鋼管の後端部が継ぎ合わされるものが、
管状の鋼管本体と、
前記鋼管本体の先端側に設けられ、その外径が先端に向けてテーパー状に縮径した継目テーパー部と、
前記継目テーパー部の先端に設けられ、前記他の短尺鋼管の後端部の内径と略同一の外径を有する管状の鋼管嵌入部と、
前記鋼管嵌入部の先端に設けられ、その外径が先端に向けてテーパー状に縮径した先端テーパー部とを具備すると共に、
前記鋼管嵌入部には、ボルト挿通孔とその内面側に取り付けられたナットとからなり、当該鋼管嵌入部が嵌め込まれる前記他の短尺鋼管に係合するボルトを固定するためのボルト固定部が設けられており、
前記他の短尺鋼管の後端部には、嵌め込まれた鋼管嵌入部のボルト挿通孔に対応する位置に、その下端位置が前記ボルト挿通孔の下端位置に一致し且つ上方へと延びて前記ボルトが係合するボルト挿通長孔が設けられていることを特徴とする組立鋼管支柱。
【請求項２】
金属板材からなる本体と、前記本体の表面にて上面及び前面が開放するように略Ｕ字状に突設され、前記短尺鋼管の下端を係止する鋼管係止突起とで構成された基礎用根かせを更に備えることを特徴とする請求項１に記載の組立鋼管支柱。
【発明の詳細な説明】
【技術分野】
【０００１】
本発明は、配電線などが架設される電柱が倒壊しないように支持する軽量・長寿命型の支柱に関する。
【背景技術】
【０００２】
従来より、配電線などが架設された電柱が倒壊しないように支持する支柱として、山間部や狭隘地においては、主に木材を材料とする木柱が用いられている。しかしながら、この木柱は、防腐処理などのメンテナンス負担が大きく、又、設置の際には、長さが数ｍから十数ｍに及ぶ一本の支柱をその長さのまま設置しなければならないので、山間部や狭隘地での施工が極めて困難であるという問題があった。
【０００３】
このような問題を解決し得る技術として、図７に示すように、太径で且つ短尺の鋼管１の両端部に、細径で且つ短尺の鋼管２を挿入すると共に、これらをボルト３で締結して各鋼管同士を継ぎ合わせる組立鋼管支柱４が開示されている（例えば、非特許文献１参照）。
【０００４】
このように短尺の鋼管１及び２を継ぎ合わせて支柱４を構成すれば、山間部や狭隘地であっても当該支柱４を容易に施工することができる。
【先行技術文献】
【非特許文献】
【０００５】
【非特許文献１】株式会社日本ネットワークサポート発行，「金属製品カタログ(配電機材編Ｎｏ．３)」，２００７年５月，ｐ．１０３
【発明の概要】
【発明が解決しようとする課題】
【０００６】
しかしながら、連結する鋼管１と鋼管２との締結をボルト３によるねじの締結力のみで行っている従来の組立鋼管支柱４では、当該支柱４にかかる圧縮力などの応力をボルト３のみで受けていたので、当該ボルト３に作用するせん断力が非常に大きく、ボルト３が損傷する可能性が極めて高いと云う問題が有った。又、かかる問題を解消するためには、ボルト３をＭ２２のように大型のものにしたり、複数箇所をボルト止めしなければならないが、そうすると、支柱４の建柱に時間や労力がかかるようになると共に、建柱した組立鋼管支柱４におけるボルト３の飛び出しが大きくなり見栄えが悪くなると云った問題が生じるようになる。
【０００７】
更には、上記従来の組立鋼管支柱４は、外径の異なる大小２種類の鋼管１及び２で構成されているので、鋼管１と鋼管２との継目部分に大きな段部が形成されるようになり、この点においても建柱後の支柱の見栄えが悪くなると云う問題があった。
【０００８】
それゆえに、本発明の主たる課題は、山間部や狭隘地であっても建柱が容易であり、しかも建柱後の見栄えにも優れた組立鋼管支柱を提供することである。
【課題を解決するための手段】
【０００９】
「請求項１」に記載した発明は、
（ａ）複数の短尺鋼管１４同士を継ぎ合わせることによって形成された組立鋼管支柱１０であって、
（ｂ）前記短尺鋼管１４のうち少なくともその先端側に他の短尺鋼管１４の後端部が継ぎ合わされるものが、
（b-1）管状の鋼管本体２０と、
（b-2）前記鋼管本体２０の先端側に設けられ、その外径が先端に向けてテーパー状に縮径した継目テーパー部２２と、
（b-3）前記継目テーパー部２２の先端に設けられ、前記他の短尺鋼管１４の後端部の内径と略同一の外径を有する管状の鋼管嵌入部２４と、
（b-4）前記鋼管嵌入部２４の先端に設けられ、その外径が先端に向けてテーパー状に縮径した先端テーパー部２６とを具備すると共に、
（b-5）前記鋼管嵌入部２４には、ボルト挿通孔２８ａとその内面側に取り付けられたナット２８ｂとからなり、当該鋼管嵌入部２４が嵌め込まれる前記他の短尺鋼管１４に係合するボルト３６を固定するためのボルト固定部２８が設けられており、
（ｃ）前記他の短尺鋼管１４の後端部には、嵌め込まれた鋼管嵌入部２４のボルト挿通孔２８ａに対応する位置に、その下端位置が前記ボルト挿通孔２８ａの下端位置に一致し且つ上方へと延びて前記ボルト３６が係合するボルト挿通長孔３２が設けられている
（ｄ）ことを特徴とする組立鋼管支柱１０である。
【００１０】
この発明では、短尺鋼管１４の先端側に設けられた鋼管嵌入部２４の外径が、当該鋼管嵌入部２４に継ぎ合わされる他の短尺鋼管１４の後端部の内径と略同一に形成されているが、鋼管嵌入部２４の先端に先端テーパー部２６が設けられているため、鋼管嵌入部２４への他の短尺鋼管１４後端部の差し込みが容易となり、短尺鋼管１４同士の継ぎ合わせを短時間で行えるようになる。
【００１１】
また、本発明の組立鋼管支柱１０は、使用時に主として圧縮荷重が加わるようになるが、鋼管嵌入部２４に嵌め込まれた他の短尺鋼管１４の後端は、その全周が継目テーパー部２２と接触しているので、短尺鋼管１４同士の接続部分に作用する圧縮力などの応力を継目テーパー部２２全体で受けるようになっている。したがって、鋼管嵌入部２４と他の短尺鋼管１４の後端部とを接合した後、これらをボルト３６で固定するような場合であっても、当該ボルト３６に作用するせん断力を小さなものにすることができ、ボルト３６の損傷等を極小化することができる。その結果、ボルト３６の小型化が可能となり、建柱後の組立鋼管支柱１０の見栄えを良くすることができると共に、ボルト３６が小型になった分その施工も容易となる。
【００１２】
さらに、他の短尺鋼管１４の後端部には、嵌め込まれた鋼管嵌入部２４のボルト挿通孔２８ａに対応する位置に、その下端位置が前記ボルト挿通孔２８ａの下端位置に一致し且つ上方へと延びてボルト３６が係合するボルト挿通長孔３２が設けられている、つまり、短尺鋼管１４同士を継ぎ合わせてボルト３６で固定した際に、ボルト３６の下方には隙間がなく、上方には隙間が生じるようにしているので、短尺鋼管１４同士を継ぎ合わせてボルト３６で固定したものを滑車装置などで吊り上げたとしても、短尺鋼管１４同士の接続部分が不所望にズレたりガタついたりする心配はない。加えて、ボルト３６の上方には隙間が生じるようになっているので、建柱後にボルト３６に作用する応力の中から短尺鋼管１４の軸方向より与えられる圧縮力を切り離して短尺鋼管１４同士の接合部分の回動に伴って与えられる応力だけにすることができ、建柱後にボルト３６に作用するせん断力をより一層低減させることができる。その結果、短尺鋼管１４同士を固定するボルト３６をさらに小型化することができ、建柱後の組立鋼管支柱１０の見栄えをより一層良くすることができる。
【００１３】
「請求項２」に記載した発明は、請求項１に記載の組立鋼管支柱１０において、「金属板材からなる本体１８ａと、前記本体１８ａの表面にて上面及び前面が開放するように略Ｕ字状に突設され、前記短尺鋼管１４の下端を係止する鋼管係止突起１８ｂとで構成された基礎用根かせ１８を更に備える」ことを特徴とする。
【００１４】
従来では、基礎用根かせとしてコンクリート製のものが使用されていたが、このような金属製の基礎用根かせ１８を使用することにより、建柱作業をより一層効率よく行うことができるようになる。
【発明の効果】
【００１５】
本発明によれば、鋼管嵌入部の先端に先端テーパー部が設けられているので、鋼管嵌入部への他の短尺鋼管後端部の差し込みが容易となり、短尺鋼管同士の継ぎ合わせを短時間で行えるようになる。
【００１６】
また、短尺鋼管同士の接続部分に作用する圧縮力などの応力を継目テーパー部全体で受けるようにしているので、鋼管嵌入部と他の短尺鋼管の後端部とを接合した後、これらをボルトで固定するような場合であっても、当該ボルトに作用するせん断力を小さなものにすることができる。
【００１７】
加えて、短尺鋼管同士を継ぎ合わせてボルトで固定した際に、ボルトの下方には隙間がなく、上方には隙間が生じるようにしているので、短尺鋼管同士を継ぎ合わせてボルトで固定したものを吊り上げたとしても、短尺鋼管同士の接続部分が不所望にズレたりガタついたりする心配はなく、又、建柱後にボルトに作用するせん断力をより一層低減させることができる。
【００１８】
したがって、山間部や狭隘地であっても組立・施工が容易であり、しかも組立後の見栄えにも優れた組立鋼管支柱を提供することができる。
【図面の簡単な説明】
【００１９】
【図１】本発明の一実施例の組立鋼管支柱の使用態様を示す説明図である。
【図２】本発明の組立鋼管支柱を構成する短尺鋼管の一部を示す説明図である。
【図３】図２におけるＡ矢視図である。
【図４】本発明の組立鋼管支柱における短尺鋼管の製造方法の一例を示す説明図である。
【図５】本発明の一実施例の組立鋼管支柱を建柱する際に用いられる基礎用根かせを示す斜視図である。
【図６】本発明の組立鋼管支柱における短尺鋼管同士の接続部分を示す断面図である。
【図７】従来の組立鋼管支柱の一例を示す正面図である。
【発明を実施するための形態】
【００２０】
以下、本発明を図示実施例に従って詳述する。図１は、本発明における組立鋼管支柱１０の使用態様の一例を示す説明図である。この図が示すように、本発明の組立鋼管支柱１０は、特に山間部や狭隘地に建設され、配電線などが架設された電柱１２が倒壊しないように支持するためのものであり、長手方向に複数継ぎ合わされて鋼管柱１４ｘを形成する短尺鋼管１４と、電柱１２の上部及び鋼管柱１４ｘの上部を連結するバンド部材１６と、地中に埋設される最下段の短尺鋼管１４の下端が取り付けられ、鋼管柱１４ｘの下端部を地中に固定する基礎用根かせ１８とで構成されている。
【００２１】
なお、図１中の符号１５は最上端の短尺鋼管１４先端の開口を閉塞するキャップであり、符号１７は、鋼管柱１４ｘの下部を固定するための建柱穴である。
【００２２】
継ぎ合わせて鋼管柱１４ｘとする短尺鋼管１４は、一般構造用炭素鋼やステンレス鋼などの金属材料からなる短管状の部材で、山間部や狭隘地であっても人力で運搬及び建柱ができるように一本が５５ｋｇ以内の重量にて形成されている。
【００２３】
この短尺鋼管１４のうち、少なくともその先端側に他の短尺鋼管１４の後端部が継ぎ合わされるもの、つまり少なくとも最先端(図１の例の場合、最上端)に配置される短尺鋼管１４を除く短尺鋼管１４は、その先端部が次のように形成されている。
【００２４】
すなわち、その先端側に他の短尺鋼管１４の後端部が継ぎ合わされる短尺鋼管１４は、図２及び３に示すように、管状の鋼管本体２０の先端側にその外径が先端に向けてテーパー状に縮径された継目テーパー部２２が設けられると共に、継目テーパー部２２の先端に他の短尺鋼管１４の後端部の内径と略同一の外径を有する管状の鋼管嵌入部２４が設けられている。ここで、図１乃至３に示す例では、各短尺鋼管１４の鋼管本体２０の外径と内径は全て同じものであり、鋼管嵌入部２４の外径は、鋼管本体２０の内径と略同一となるように形成されている。このため、これら各短尺鋼管１４を継ぎ合わせて形成した鋼管柱１４ｘは、ストレートな外観形状を有すると共に、継目部分が目立たず美観に優れたものとなる。
【００２５】
そして、鋼管嵌入部２４の先端には、その外径が先端に向けてテーパー状に縮径された先端テーパー部２６が設けられている。
【００２６】
また、この短尺鋼管１４における鋼管嵌入部２４の先端側には、ボルト挿通孔２８ａと、このボルト挿通孔２８ａに対応する鋼管嵌入部２４の内面に溶接されたナット２８ｂとからなるボルト固定部２８が形成されている。更に、先端テーパー部２６から鋼管嵌入部２４を経由して継目テーパー部２２に亘る表面には、ボルト挿通孔２８ａの中心を通り短尺鋼管１４の軸方向に伸びるガイド線３０が塗装などの方法によって形成されている。
【００２７】
一方、この短尺鋼管１４の鋼管本体２０には、他の短尺鋼管１４の鋼管嵌入部２４を嵌め合わせた際に、当該他の短尺鋼管のボルト固定部２８(より詳しくは、ボルト挿通孔２８ａ)に対応する位置に、その下端位置がボルト挿通孔２８ａの下端位置に一致し且つ上方へと延びるボルト挿通長孔３２が穿設されている(図６参照)。更に、鋼管本体２０の後端側表面には、ボルト挿通長孔３２の中心を通り短尺鋼管１４の軸方向に伸びる軸線の位置を示す矢印状のマーカー３４が塗装などの方法によって形成されている。このため、短尺鋼管１４同士を継ぎ合わせる際に、一方の短尺鋼管１４の鋼管嵌入部２４に設けられたガイド線３０と、他方の短尺鋼管１４の鋼管本体２０後端に設けられたマーカー３４の位置とを合わせることによって、一方の短尺鋼管１４におけるボルト固定部２８のボルト挿通孔２８ａと、他方の短尺鋼管１４における鋼管本体２０のボルト挿通長孔３２との位置合わせを容易にすることができる。
【００２８】
以上のように構成された短尺鋼管１４を製造する際には、まず始めに、一般構造用炭素鋼やステンレス鋼などの金属材料を準備し、図示しない鋼管成形機を用いて材料鋼管Ｐを製造する(図４(a)参照)。この材料鋼管Ｐの長さは、最終的に形成される短尺鋼管１４の長さの２倍に設定されている。こうすることにより、１本の材料鋼管Ｐから短尺鋼管１４を２本取りすることができるからである。なお、この材料鋼管ＰはＪＩＳ規格などで定められた汎用品を購入して使用することも可能である。
【００２９】
続いて、高周波絞り加工機を用いて材料鋼管Ｐの長手方向の所定の場所に絞り加工を行い、材料鋼管Ｐを所定形状に成形する。
【００３０】
具体的には、材料鋼管Ｐの長手方向(軸方向)中央部或いはその近傍に設けられた加工対象部分を高周波加熱すると共に、図４(b)に示すようにロールＲ或いはヘラ(図示せず)などの工具を押し当てて第１段階目のヘラ絞り加工を行う。この加工において、加工対象部分の両端は、加工対象部分の中心に向けてテーパー状に縮径するように形成されており、この部分が後に継目テーパー部２２となる。又、テーパー状に縮径された加工対象部分の両端を除く部分は、その外径が、材料鋼管Ｐの未加工部分(すなわち後に鋼管本体２０となる部分)の内径と略等しくなるように縮径されている。なお、加工対象部分の長さは、上述した継目テーパー部２２，鋼管嵌入部２４及び先端テーパー部２６の長さを合計した長さの２倍に設定されている。
【００３１】
続いて、図４(c)に示すように、ロールＲ或いはヘラ(図示せず)などの工具を加工対象部分の長手方向中央に押し当てて第２段階目のヘラ絞り加工を行う。かかる加工により、加工対象部分の長手方向中央に形成された最小外径部ｍを境にして互いに対向し、後に先端テーパー部２６となる部分が形成される。
【００３２】
そして、上述のような絞り加工が完了した材料鋼管Ｐを、加工対象部分の長手方向中央に設けられた最小外径部ｍで切断し、鋼管嵌入部２４の先端側の所定位置にボルト挿通孔２８ａを穿設すると共に、このボルト挿通孔２８ａに対応する鋼管嵌入部２４の内面にナット２８ｂを溶接する。又、鋼管本体２０の所定位置にボルト挿通長孔３２を穿設する。更に、必要に応じて耐候性を高めるための溶融亜鉛めっきや防食塗装処理などを行うことにより短尺鋼管１４が完成する。
【００３３】
基礎用根かせ１８は、上述したように地中に埋設される最下段の短尺鋼管１４の下端が取り付けられ、鋼管柱１４ｘの下端部を地中に固定するためのもので、図５に示すように、溶融亜鉛めっきなどのめっきが施された一般構造用炭素鋼やステンレス鋼などの金属材料からなる板状の本体１８ａと、この本体１８ａの表面にて上面及び前面が開放するように略Ｕ字状に突設され、短尺鋼管１４の下端を係止する鋼管係止突起１８ｂとで構成されている。又、本体１８ａにおける鋼管係止突起１８ｂの最奥部の位置には、水抜き用の抜き孔１８ｃが穿設されている。
【００３４】
ここで、従来では、基礎用根かせとしてコンクリート製のものが使用されていたが、このような金属製の基礎用根かせ１８を使用することにより、建柱作業をより一層効率よく行うことができるようになる。
【００３５】
次に、以上のように構成された組立鋼管支柱１０を建柱して(図１に示すように)電柱１２を支持する方法について説明する。まず始めに、トラックなどの運搬車両やクレーンなど重機等を使って、又、山間部や狭隘地などのように運搬車両や重機などが入れない場所については人力で組立鋼管支柱１０を構成する各パーツを建柱現場まで運ぶ。
【００３６】
続いて、支持すべき電柱１２の近傍にて、図６に示すように、一方の短尺鋼管１４におけるボルト固定部２８のボルト挿通孔２８ａの位置と、他方の短尺鋼管１４における鋼管本体２０のボルト挿通長孔３２の位置とを合わせるようにして所定本数の短尺鋼管１４を継ぎ合わせると共に、ボルト挿通長孔３２およびボルト挿通孔２８ａにボルト３６を挿通して、このボルト３６をナット２８ｂに螺合させる。これにより鋼管柱１４ｘが完成する。
【００３７】
続いて、電柱１２に登り、電柱１２の上部にバンド部材１６と鋼管柱１４ｘ吊り上げ用の滑車装置(図示せず)とを取り付ける一方で、電柱１２から離れた地面の所定位置に建柱穴１７を掘削した後、該建柱穴１７に、鋼管係止突起１８ｂが電柱１２に固定されたバンド部材１６の方向を向く所定の角度で基礎用根かせ１８を設置する。
【００３８】
そして、鋼管柱１４ｘの先端部にロープ(図示せず)を玉掛けすると共に、このロープを滑車装置に掛渡した後、下へと引っ張る。すると、鋼管柱１４ｘの先端が電柱１２の上部へと引き上げられるので、上部へと引き上げられた鋼管柱１４ｘの先端をバンド部材１６で電柱１２の上部に固定する。又、これと同時に、或いはこれと前後して鋼管柱１４ｘの下端を持ち上げて基礎用根かせ１８の鋼管係止突起１８ｂに係止させた後、建柱穴１７を埋め戻す。これにより組立鋼管支柱１０の建柱と電柱１２の支持が完了する。
【００３９】
本実施例の組立鋼管支柱１０によれば、短尺鋼管１４の先端側に設けられた鋼管嵌入部２４の外径が、当該鋼管嵌入部２４に継ぎ合わされる他の短尺鋼管１４の鋼管本体２０の内径と略同一に形成されているが、鋼管嵌入部２４の先端に先端テーパー部２６が設けられているため、鋼管嵌入部２４への他の短尺鋼管１４後端部の差し込みが容易となり、短尺鋼管１４同士の継ぎ合わせを短時間で行えるようになる。
【００４０】
ここで、本実施例の組立鋼管支柱１０は、使用時に主として圧縮荷重が加わるようになるが、鋼管嵌入部２４に嵌め込まれた他の短尺鋼管１４の後端は、その全周が継目テーパー部２２と接触しているので、短尺鋼管１４同士の接続部分に作用する圧縮力などの応力を継目テーパー部２２全体で受けるようになっている。したがって、鋼管嵌入部２４と他の短尺鋼管１４の後端部とを接合した後、これらをボルト３６で固定するような場合に、当該ボルト３６に作用するせん断力を小さなものにしてボルト３６の損傷等を極小化することができる。その結果、ボルトの小型化が可能となり、組立後の支柱の見栄えを良くすることができると共に、ボルトが小型になった分その施工も容易となる。
【００４１】
とりわけ本実施例の組立鋼管支柱１０では、短尺鋼管１４における鋼管嵌入部２４の先端側にボルト固定部２８が設けられると共に、短尺鋼管１４の鋼管本体２０における他の短尺鋼管１４の鋼管嵌入部２４を嵌め合わせた際に、当該他の短尺鋼管１４のボルト挿通孔２８ａに対応する位置に、その下端位置がボルト挿通孔２８ａの下端位置に一致し且つ上方へと延びるボルト挿通長孔３２が設けられているので、短尺鋼管１４同士を継ぎ合わせてボルト３６で固定した際に、ボルト３６の下方には隙間がなく、上方には隙間が生じるようになっており、短尺鋼管１４同士を継ぎ合わせてボルト３６で固定したものを滑車装置などで吊り上げたとしても、短尺鋼管１４同士の接続部分が不所望にズレたりガタついたりする心配はない。又、ボルト３６の上方には隙間が生じるようになっているので、ボルト３６に作用する応力の中から短尺鋼管１４の軸方向より与えられる圧縮力を切り離して短尺鋼管１４同士の接合部分の回動に伴って与えられる応力だけにすることができ、ボルト３６に作用するせん断力をより一層低減させることができる。その結果、短尺鋼管１４同士を固定するボルト３６をさらに小型化することができ、組立後の鋼管支柱１０の見栄えをより一層良くすることができる。
【００４２】
なお、上述の実施例では、短尺鋼管１４の継目テーパー部２２，鋼管嵌入部２４及び先端テーパー部２６を絞り加工により鋼管本体２０を含め各パーツを一体的に形成する場合を示している。このように絞り加工を用いて短尺鋼管１４を作製することにより、短尺鋼管１４を簡単且つ経済的に製造することができると共に、強度的に優れた短尺鋼管１４を得ることができるが、短尺鋼管１４の製造方法はこれに限定されるものではなく、例えば、各パーツを別体で形成した後、これらを溶接して一体化するようにしても良い。
【符号の説明】
【００４３】
１０…組立鋼管支柱
１２…電柱
１４…短尺鋼管
１４ｘ…鋼管柱
１５…キャップ
１６…バンド部材
１７…建柱穴
１８…基礎用根かせ
２０…鋼管本体
２２…継目テーパー部
２４…鋼管嵌入部
２６…先端テーパー部
２８…ボルト固定部
２８ａ…ボルト挿通孔
２８ｂ…ナット
３０…ガイド線
３２…ボルト挿通長孔
３４…マーカー
３６…ボルト
【図１】
2011111769.tif 000003
【図２】
2011111769.tif 000004
【図４】
2011111769.tif 000005
【図５】
2011111769.tif 000006
【図６】
2011111769.tif 000007
【図７】
2011111769.tif 000008
【図３】
2011111769.tif 000009